(57)【特許請求の範囲】
【請求項１】
前胴回り域と、後胴回り域と、前記前胴回り域と前記後胴回り域との間に位置する股下域とを有し、
一対の脚回り開口部が形成されると共に、
前記股下域を跨ぎ前記前胴回り域及び前記後胴回り域に延びる吸収体を備え、
前記前胴回り域から前記後胴回り域に向かう製品長手方向と、前記製品長手方向と直交する製品幅方向とを有する使い捨ておむつであって、
前記股下域内において前記吸収体が配置されている吸収体配置領域内に形成され、少なくとも前記製品長手方向に伸縮可能なクロッチ伸縮部と、
前記クロッチ伸縮部の前記製品幅方向の外側において前記脚回り開口部に沿って形成され、少なくとも前記製品長手方向に伸縮可能な一対のレッグ伸縮部とを備え、
前記レッグ伸縮部において伸縮可能な範囲の前記前胴回り域側の端部は、前記クロッチ伸縮部において伸縮可能な範囲の前記前胴回り域側の端部よりも、前記使い捨ておむつの前記前胴回り域側の端部に近接するように構成されており、
前記レッグ伸縮部において伸縮可能な範囲の前記後胴回り域側の端部は、前記クロッチ伸縮部において伸縮可能な範囲の前記後胴回り域側の端部よりも、前記使い捨ておむつの前記後胴回り域側の端部に近接するように構成されており、
前記クロッチ伸縮部の引張係数は、前記レッグ伸縮部の引張係数よりも大きくなるように構成されていることを特徴とする使い捨ておむつ。
【請求項２】
前記クロッチ伸縮部は、前記使い捨ておむつにおける前記製品長手方向の中心線を跨いで前記前胴回り域側及び前記後胴回り域側に延びるように構成されていることを特徴とする請求項１に記載の使い捨ておむつ。
【請求項３】
前記一対のレッグ伸縮部の前記製品幅方向における内側端の間隔は、前記股下域から前記前胴回り域又は前記後胴回り域に向かうに連れて広くなるように構成されていることを特徴とする請求項１又は２に記載の使い捨ておむつ。
【請求項４】
前記レッグ伸縮部は、伸縮性シート部材によって形成されており、
前記レッグ伸縮部の前記製品幅方向の外側に、非伸縮性部材のみによって形成されているフリル部が設けられていないように構成されていることを特徴とする請求項１乃至３のいずれか一項に記載の使い捨ておむつ。
【請求項５】
前記レッグ伸縮部において伸縮可能な範囲の前記前胴回り域側の端部における前記一対のレッグ伸縮部の前記製品幅方向における内側端の間隔は、前記レッグ伸縮部において伸縮可能な範囲の前記後胴回り域側の端部における前記一対のレッグ伸縮部の前記製品幅方向における内側端の間隔よりも短くなるように構成されていることを特徴とする請求項３に記載の使い捨ておむつ。
【請求項６】
前記レッグ伸縮部の前記製品幅方向の外側に設けられているフリル部の前記製品幅方向の長さは、７ｍｍ未満となるように構成されていることを特徴とする請求項１乃至５のいずれか一項に記載の使い捨ておむつ。
【発明の詳細な説明】
【技術分野】
【０００１】
本発明は、使い捨ておむつに関する。
【背景技術】
【０００２】
従来、前胴回り域と、後胴回り域と、前胴回り域と後胴回り域との間に位置する股下域とを有し、一対の脚回り開口部が形成されると共に、股下域を跨ぎ前胴回り域及び後胴回り域に延びる吸収体を備え、かつ、脚回り開口部に沿って弾性部材が設けられている使い捨ておむつが知られている。
【０００３】
かかる使い捨ておむつにおいて、弾性部材による圧迫跡が付き難くし、かつ、排泄物の漏れを防ぐために、各弾性部材の配置位置に応じて引張応力を変化させる技術が知られている（例えば、特許文献１参照）。
【先行技術文献】
【特許文献】
【０００４】
【特許文献１】特開２００１-３７８０７号公報
【発明の概要】
【発明が解決しようとする課題】
【０００５】
しかしながら、出願人は、装着された状態の使い捨ておむつに対して着用者の動きが加わると、脚回り開口部に沿って設けられている弾性部材が使い捨ておむつと着用者の身体との間に巻き込まれるような状態になり易く、脚回り開口部から排泄物の漏れが発生し易くなるということを発見した。
【０００６】
そこで、本発明は、上述の課題に鑑みてなされたものであり、脚回り開口部に沿って設けられている弾性部材が使い捨ておむつと着用者の身体との間に巻き込まれる状態になり難い構成の使い捨ておむつを提供することを目的とする。
【課題を解決するための手段】
【０００７】
本発明の第１の特徴は、前胴回り域と、後胴回り域と、前記前胴回り域と前記後胴回り域との間に位置する股下域とを有し、一対の脚回り開口部が形成されると共に、前記股下域を跨ぎ前記前胴回り域及び前記後胴回り域に延びる吸収体を備え、前記前胴回り域から前記後胴回り域に向かう製品長手方向と、前記製品長手方向と直交する製品幅方向とを有する使い捨ておむつであって、前記股下域内において前記吸収体が配置されている吸収体配置領域内に形成され、少なくとも前記製品長手方向に伸縮可能なクロッチ伸縮部と、前記クロッチ伸縮部の前記製品幅方向の外側において前記脚回り開口部に沿って形成され、少なくとも前記製品長手方向に伸縮可能な一対のレッグ伸縮部とを備え、前記レッグ伸縮部において伸縮可能な範囲の前記前胴回り域側の端部は、前記クロッチ伸縮部において伸縮可能な範囲の前記前胴回り域側の端部よりも、前記使い捨ておむつの前記前胴回り域側の端部に近接するように構成されており、前記レッグ伸縮部において伸縮可能な範囲の前記後胴回り域側の端部は、前記クロッチ伸縮部において伸縮可能な範囲の前記後胴回り域側の端部よりも、前記使い捨ておむつの前記後胴回り域側の端部に近接するように構成されており、前記クロッチ伸縮部の引張係数は、前記レッグ伸縮部の引張係数よりも大きくなるように構成されていることを要旨とする。
【発明の効果】
【０００８】
以上説明したように、本発明によれば、脚回り開口部に沿って設けられている弾性部材が使い捨ておむつと着用者の身体との間に巻き込まれる状態になり難い構成の使い捨ておむつを提供することができる。
【図面の簡単な説明】
【０００９】
【図１】本発明の実施形態に係る使い捨ておむつの展開平面図である。
【図２】本発明の第１の実施形態に係る使い捨ておむつの展開平面図におけるＦ-Ｆ断面図である。
【図３】本発明の実施形態に係る使い捨ておむつの展開平面図である。
【図４】本発明の実施形態に係る使い捨ておむつを着用者に装着する際の動作を説明するための図である。
【図５】本発明の実施形態に係る使い捨ておむつを着用者に装着する際の動作を説明するための図である。
【図６】本発明の実施形態に係る使い捨ておむつを着用者に装着する際の動作を説明するための図である。
【図７】既存の使い捨ておむつを着用者に装着する際の動作を説明するための図である。
【図８】既存の実施形態に係る使い捨ておむつを着用者に装着する際の動作を説明するための図である。
【発明を実施するための形態】
【００１０】
（本発明の第１の実施形態）
図１乃至図８を参照して、本発明の第１の実施形態に係る使い捨ておむつ１０について説明する。
【００１１】
なお、以下の図面の記載において、同一又は類似の部分には、同一又は類似の符号を付している。ただし、図面は模式的なものであり、各寸法の比率等は現実のものとは異なることに留意すべきである。
【００１２】
したがって、具体的な寸法等は、以下の説明を参酌して判断すべきである。また、図面相互間においても互いの寸法の関係や比率が異なる部分が含まれ得る。
【００１３】
以下、本実施形態に係る使い捨ておむつ１０として、開放型使い捨ておむつを例に挙げて説明するが、本実施形態に係る使い捨ておむつ１０は、開放型使い捨ておむつに限定されるものはなく、パンツ型使い捨ておむつにも適用可能である。
【００１４】
図１は、本実施形態に係る使い捨ておむつ１０の展開平面図である。図２は、図１に示したＦ-Ｆ線に沿った使い捨ておむつ１０のＦ-Ｆ断面図である。
【００１５】
図１に示すように、使い捨ておむつ１０は、前胴回り域２０と、股下域２５と、後胴回り域３０とを有する。また、使い捨ておむつ１０には、一対の脚回り開口部３５が形成されている。
【００１６】
ここで、前胴回り域２０は、着用者の前胴回り部と接する部分であり、後胴回り域３０は、着用者の後胴回り部と接する部分であり、股下域２５は、前胴回り域２０と後胴回り域３０との間に位置する部分である。
【００１７】
なお、本実施形態では、前胴回り域２０から後胴回り域３０に向かう方向を製品長手方向Ｌと呼び、製品長手方向Ｌと直交する方向を製品幅方向Ｗと呼ぶこととする。
【００１８】
使い捨ておむつ１０は、股下域２５を跨ぎ前胴回り域２０及び後胴回り域３０に延びる吸収体４０を備える。図２に示すように、吸収体４０は、吸収体コア４０ａとコアラップ４０ｂとによって構成されている。
【００１９】
吸収体コア４０ａは、従来の使い捨ておむつで用いられているものと同様であり、粉砕パルプや高吸収ポリマー等、公知の部材や材料を用いて、吸収体コア４０ａを適宜構成することができる。吸収体コア４０ａは、シート状のコアラップ４０ｂによって包まれている。
【００２０】
コアラップ４０ｂは、吸収体コア４０ａを被覆するシートである。コアラップ４０ｂの少なくとも肌当接面側の一部は、液透過性を有する各種の繊維不織布若しくはティッシュシートによって構成されている。
【００２１】
例えば、コアラップ４０ｂを構成する部材としては、質量約１０〜３０ｇ/ｍ２のエアスルー繊維不織布や、スパンボンド不織布や、ＳＭＳ（スパンボンド-メルトブロン-スパンボンド）不織布や、質量約１０〜３０ｇ/ｍ２のティッシュシートを用いることができる。
【００２２】
また、図２に示すように、吸収体４０の表面側（肌当接面側）には、液透過性のトップシート５０が備えられており、吸収体４０の裏面側（非肌当接面側）には、液不透過性のバックシート６０ａが備えられている。  さらに、図２に示すように、バックシート６０ａの裏面側（非肌当接面側）に、外装シート６０が備えられていてもよい。
【００２３】
吸収体４０の製品幅方向Ｗにおける側縁部には、図１に示すように、サイドフラップ７０がそれぞれ備えられている。サイドフラップ７０は、１枚又は２枚以上の複数枚重ねた不織布によって構成されている。
【００２４】
また、図１に示すように、使い捨ておむつ１０は、後胴回り域３０において、一対のファスニングテープ９０が備えており、前胴回り域２０の非肌当接面側の所定領域において、ターゲットテープ９０ａを備えている。
【００２５】
ここで、ファスニングテープ９０が、ターゲットテープ９０ａに取り付けられることによって、使い捨ておむつ１０を着用者の身体に保持することができる。
【００２６】
また、図１に示すように、使い捨ておむつ１０は、股下域２５内において吸収体４０が配置されている吸収体配置領域内に形成され伸縮可能なクロッチ伸縮部２００ａを備えていてもよい。
【００２７】
具体的には、図２に示すように、クロッチ伸縮部２００ａは、吸収体４０（コアラップ４０ｂ）とバックシート６０ａとの間に備えられていてもよい。
【００２８】
ここで、クロッチ伸縮部２００ａは、製品長手方向Ｌに伸縮可能であり、製品長手方向Ｌ及び製品幅方向Ｗの両方に伸縮可能であってもよい。
【００２９】
上述のように、クロッチ伸縮部２００ａは、股下域２５内に配置されており、製品長手方向Ｌに伸縮可能であるため、使い捨ておむつ１０の装着時に、前胴回り域２０側のレッグ伸縮部７５を構成する弾性部材が、使い捨ておむつ１０と着用者の身体との間に巻き込まれる状態になり難くすることができる。
【００３０】
また、製品長手方向Ｌにおけるクロッチ伸縮部２００ａの中心Ｃ２は、製品長手方向Ｌにおける使い捨ておむつ１０の中心Ｃ１よりも、前胴回り域２０側に配置されていてもよい。
【００３１】
使い捨ておむつ１０の装着時に、使い捨ておむつ１０を着用者の臀部の下に敷いて着用者のおへその位置に引き当てていく段階で、前胴回り域２０側のレッグ伸縮部７５を構成する弾性部材が、使い捨ておむつ１０と着用者の身体との間に巻き込まれ易いが、上述のように構成することで、かかる巻き込みを、より発生し難くすることができる。
【００３２】
さらに、クロッチ伸縮部２００ａは、製品長手方向Ｌにおける使い捨ておむつ１０の中心線Ｏを跨いで前胴回り域２０側及び後胴回り域３０側に延びるように構成されていてもよい。
【００３３】
本実施形態では、クロッチ伸縮部２００ａは、伸縮性シート部材によって構成されていてもよい。
【００３４】
例えば、かかる伸縮性シート部材としては、ウレタンやスチレンのような熱可塑性エラストマ樹脂を溶融しフィルム状とした伸縮性フィルムや、伸縮繊維からなる伸縮性不織布や、伸縮性フィルムや伸縮性不織布に部分的に切断され又は脆弱化された非伸張性シートを張り合わせた複合シート等を用いることができる。
【００３５】
また、かかる伸縮性シート部材の代わりに、ポリウレタン弾性繊維や天然ゴムからなる糸状・帯状の伸縮可能な弾性部材を、互いに並列に並べることによってクロッチ伸縮部２００ａを構成してもよい。
【００３６】
吸収体４０の表面側（トップシート５０側）には、脚回り開口部３５に沿って形成され、少なくとも製品長手方向Ｌに伸縮可能な一対のレッグ伸縮部（レッグギャザー）７５が備えられている。
【００３７】
レッグ伸縮部７５は、製品長手方向Ｌにおいて、クロッチ伸縮部２００ａよりも長いと共に、製品幅方向Ｗにおいて、クロッチ伸縮部２００ａよりも外側に備えられている。
【００３８】
例えば、図１に示すように、レッグ伸縮部７５は、所定本数の弾性部材（図１の例では、３本の弾性部材）によって構成されていてもよい。
【００３９】
また、レッグ伸縮部７５は、クロッチ伸縮部２００ａと同様に、伸縮性シート部材で形成されていてもよい。
【００４０】
かかる構成によれば、糸状の弾性部材によってレッグ伸縮部７５を形成するケースと比べて、レッグ伸縮部７５において伸縮可能な範囲を広くすることができる。その結果、着用者の脚回りに対して面状にフィットすることができるため、レッグ伸縮部７５と着用者の身体との密着性及び着用者の身体に対しての位置ズレが発生し難くすることができる。
【００４１】
具体的には、かかる伸縮性シート部材の幅（使い捨ておむつ１０の自然状態における製品幅方向Ｗにおける幅）は、少なくとも股下域２５において、５ｍｍ以上４５ｍｍ以下が好ましく、１２.５ｍｍ以上３５ｍｍ以下であることがより好ましい。
【００４２】
ここで、かかる伸縮性シート部材の幅が５ｍｍ未満では、実質的に面で着用者の脚回りに沿うという効果が発現せず、かかる伸縮性シート部材の幅が３５ｍｍを超えると、脚回りに沿う領域が広くなり、かかる伸縮性シート部材が着用者の身体側に巻き込んだり、めくれたりし易くなってしまう。
【００４３】
また、かかるレッグ伸縮部７５が、脚回り開口部３５の端部にまで延びることで、脚回り開口部３５に沿って配置されている伸縮性シート部材が、使い捨ておむつ１０と着用者の身体との間に巻き込まれるという状態を発生し難くすることができる。
【００４４】
ここで、レッグ伸縮部７５の製品幅方向Ｗの外側に、非伸縮性部材のみによって形成されているフリル部が設けられていないように構成されていてもよい。
【００４５】
或いは、レッグ伸縮部７５の製品幅方向Ｗの外側に設けられているフリル部の製品幅方向の長さが、７ｍｍ未満となるように構成されていてもよい。
【００４６】
かかる構成よれば、フリル部が、レッグ伸縮部７５の収縮力によって、脚回り開口部３５の縁部まで、着用者の身体に対して押し当てられるが、フリル部の製品幅方向の長さ、７ｍｍよりも大きくなると、フリル部の脚回り開口部３５の縁部側の自由度が高くなり、着用者の身体への巻き込みが発生してしまう。
【００４７】
また、図３に示すように、左右一対のレッグ伸縮部７５の製品幅方向Ｗにおける内側端の間隔は、股下域２５から前胴回り域２０に向かうに連れて広くなるとともに、股下域２５から後胴回り域３０に向かうに連れて広くなるように構成されていてもよい。
【００４８】
なお、かかる間隔は、使い捨ておむつ１０を自然状態から皺が目視にて確認できない状態まで製品長手方向Ｌ及び製品幅方向Ｗに延伸して保持した後、左右一対のレッグ伸縮部７５の製品幅方向Ｗにおける内側端間の距離を測定したものである。
【００４９】
着用者の身体に使い捨ておむつ１を装着する場合、左右一対のレッグ伸縮部７５の製品幅方向Ｗにおける内側端の間隔が、股下域２５において狭く、前胴回り域２０及び後胴回り域３０に向かうに連れて広くなる形状とすることで、レッグ伸縮部７５が、より着用者の身体のラインに沿うことが可能となり、着用者の脚回りに好適に伸長することができるように配置することとなる。
【００５０】
また、着用者の身体に使い捨ておむつ１０を装着する場合、使い捨ておむつ１０を着用者の臀部の下に敷いた際に、左右一対のレッグ伸縮部７５の間の長さが、後胴回り域３０に向かうに連れて広くなることで、使い捨ておむつ１０本体が、レッグ伸縮部７５の後胴回り域３０側になる程、着用者の身体に対して、着用者の身体の幅方向に広く且つ面状にフィットすることができるので、レッグ伸縮部７５のめくれが発生し難い。
【００５１】
さらに、図３に示すように、レッグ伸縮部７５において伸縮可能な範囲の前胴回り域２０側の端部Ｅ２における一対のレッグ伸縮部７５の製品幅方向Ｗにおける内側端の間隔Ｗ１は、レッグ伸縮部７５において伸縮可能な範囲の後胴回り域３０側の端部Ｅ５における一対のレッグ伸縮部７５の製品幅方向Ｗにおける内側端の間隔Ｗ２よりも短くなるように構成されていてもよい。
【００５２】
なお、かかる間隔も、使い捨ておむつ１０を自然状態から皺が目視にて確認できない状態まで製品長手方向Ｌ及び製品幅方向Ｗに延伸して保持した後、左右一対のレッグ伸縮部７５の製品幅方向Ｗにおける内側端間の距離を測定したものである。
【００５３】
ここで、着用者の身体の皮膚表面の伸びは、臀部において特に大きく、臀部の幅方向の外側寄りの位置にて顕著である。また、レッグ伸縮部７５は、着用者の身体に密着している。
【００５４】
そこで、上述のように、長さＷ１を長さＷ２よりも短くすることで、臀部側のレッグ伸縮部７５の軌跡が長くなり、着用者の動きが使い捨ておむつ１０に加わった場合であっても、レッグ伸縮部７５が、伸縮することで、着用者の皮膚の動きに追従することができ、かつ、前胴回り域２０側のレッグ伸縮部７５に、たるみが発生し難い。
【００５５】
したがって、上述の構成によれば、着用者の動きが、加わった場合であっても、レッグ伸縮部７５が、より安定して着用者の脚回りに密着し続けることが可能となり、レッグ伸縮部７５における部分的なたるみによる巻き込みを抑制することができる。
【００５６】
ここで、クロッチ伸縮部２００ａの引張係数は、レッグ伸縮部７５の引張係数よりも大きくなるように構成されていてもよい。
【００５７】
なお、引張係数は、どの程度、各部位が伸張し易い状態にあるかについて規定する係数である。例えば、以下のような方法によって、かかる引張係数を算出することができる。
【００５８】
第１に、測定対象の製品（使い捨ておむつ１０）から、測定対象の部位（クロッチ伸縮部２００ａやレッグ伸縮部７５）を、そのままの状態で、サンプルとして切り出す。
【００５９】
具体的には、クロッチ伸縮部２００ａやレッグ伸縮部７５に接合されている非伸縮性部材を含めて切り出す。ここで、吸収体が配置されている領域では、吸収体ごと切り出す。
【００６０】
第２に、切り出したサンプルを、引張り負荷をかけずに、自然状態にて、２０℃で、６０ＲＨ雰囲気下にて、６０分間、放置する。
【００６１】
第３に、サンプルの伸縮方向に沿って、伸縮方向に直交する幅方向の中央位置に線Ｌを引き、自然状態での線Ｌの長さを測定する。この際、水平な台状にて、なるべくサンプルに負荷をかけずに線Ｌを引き、線Ｌの長さを測定する。ここで、線Ｌの長さを初期長さ「Ａ」とする。
【００６２】
また、サンプルにおいて、なるべく長くなるように線Ｌを引くことが、測定誤差を小さくするためには、好ましいが、次の引張試験機のチャックに挟む部位と線Ｌとが重ならないようにする必要がある。
【００６３】
第４に、島津製作所社製オートグラフ等の引張試験機に、サンプルの伸縮方向の両端部を保持し、０.８Ｎの負荷がかかるまで、サンプルを伸長し、伸長時における線Ｌの長さを測定し、係る状態の線Ｌの長さ「Ａ’」とする。
【００６４】
例えば、引張試験機において、引張り速度１００ｍｍ/分で、サンプルの伸縮方向に沿って引っ張る（水平面に対して、垂直上方に引っ張る）。
【００６５】
第５に、以下の式によって、引張係数を算出する。
【００６６】
引張係数＝（Ａ’−Ａ）/Ａ
【００６７】
ここで、レッグ伸縮部７５において伸縮可能な範囲の前胴回り域２０側の端部Ｅ２は、クロッチ伸縮部２００ａにおいて伸縮可能な範囲の前胴回り域２０側の端部Ｅ３よりも、使い捨ておむつ１０の前胴回り域２０側の端部Ｅ４に近接するように構成されていてもよい。
【００６８】
また、レッグ伸縮部７５において伸縮可能な範囲の後胴回り域３０側の端部Ｅ５は、クロッチ伸縮部２００ａにおいて伸縮可能な範囲の後胴回り域３０側の端部Ｅ６よりも、使い捨ておむつ１０の後胴回り域３０側の端部Ｅ７に近接するように構成されていてもよい。
【００６９】
このように、引っ張り係数及び端部Ｅ２〜Ｅ７の関係性を規定することによって、後述するステップＳ１０３において、使い捨ておむつ１０を製品長手方向Ｌに引っ張った場合に、レッグ伸縮部７５が伸張する一方、クロッチ伸縮部２００ａが伸張しない状態を維持することができる。
【００７０】
また、クロッチ伸縮部２００ａの製品長手方向Ｌにおける収縮量は、使い捨ておむつ１０の製品長手方向Ｌにおける長さの２〜８％となるように構成されていてもよい。
【００７１】
なお、収縮量は、皺が十分に小さくなり、サンプルの表面が平滑に近くなるように伸長した状態での長さ「ｂ（ｍｍ）」と、サンプルの伸縮方向に沿う向きにおける自然状態での長さ「ａ（ｍｍ）」との差であり、（ｂ-ａ）によって算出されることができる。
【００７２】
本発明者は、クロッチ伸縮部２００ａの製品長手方向Ｌにおける収縮量を、使い捨ておむつ１０の製品長手方向Ｌにおける長さの２〜８％とすると、使い捨ておむつ１０を着用者に対して装着する過程において、クロッチ伸縮部２００ａが、好ましく着用者の身体に沿い易くなることを確認することができた。
【００７３】
ここで、クロッチ伸縮部２００ａの製品長手方向Ｌにおける収縮量を、８％より大きくすると、クロッチ伸縮部２００ａが、縮み過ぎてしまい、使い捨ておむつ１０の製品長手方向Ｌにおける長さが足りず、使い捨ておむつ１０を着用者の身体に付け難くなったり、使い捨ておむつ１０及び着用者の身体が、股下域２５において、過度に密着してズレ易くなったりしてしまう。
【００７４】
一方、クロッチ伸縮部２００ａの製品長手方向Ｌにおける収縮量を、２％以下とすると、使い捨ておむつ１０を着用者の身体に近付けるというクロッチ伸縮部２００ａの効果そのものが発現し難くなってしまう。
【００７５】
また、一対のレッグ伸縮部７５の内側（製品幅方向Ｗにおける中央寄り）には、製品長手方向Ｌに沿って延びる一対のレッグサイドギャザー（立体ギャザー）８０が備えられていてもよい。
【００７６】
レッグサイドギャザー８０は、接合部分８１と、かかる接合部分８１と反対側に位置し、弾性部材８３が配置された自由端部分８２とを有する。
【００７７】
ここで、接合部分８１は、トップシート５０やバックシート６０ａや外装シート６０に接合されていてもよい。
【００７８】
また、自由端部分８２の製品長手方向Ｌにおける端部は、トップシート５０に接合される。接合部分８１は、製品幅方向Ｗにおいて、クロッチ伸縮部２００ａとレッグ伸縮部７５との間に配置されている。
【００７９】
一般的に、使い捨ておむつ１０の股下域２５は、装着時に、下方向に垂れ下がり、着用者の身体と離れ易い。
【００８０】
これに対して、本実施形態に係る使い捨ておむつ１０では、クロッチ伸縮部２００ａが、伸縮性シート部材によって形成されており、引張係数も高いので、従来の使い捨ておむつに比べて、股下域２５に配置されている吸収体４０を着用者の股下部に沿い続けさせることができる。
【００８１】
一方、レッグ伸縮部７５は、脚回り開口部３５に沿って存在し、着用者の脚回りに密着するように構成されている。
【００８２】
したがって、上述のように、接合部分８１を、クロッチ伸縮部２００ａとレッグ伸縮部７５との間に配置することで、着用者の身体に沿ったクロッチ伸縮部２００ａを起点として、レッグサイドギャザー８０及びレッグ伸縮部７５が立ち上がるので、着用者の身体の幅方向の内側から外側に、順にレッグサイドギャザー８０及びレッグ伸縮部７５を、順番に、着用者の身体に対して、より密着させることができる。
【００８３】
レッグサイドギャザー８０は、着用時には、接合部分８１を基端部として立ち上がり、自由端部分８２が頂点部として着用者の肌と接触する。
【００８４】
以下、図４乃至図８を参照して、本実施形態に係る使い捨ておむつ１０を着用者に装着する際の動作について説明する。
【００８５】
図４に示すように、着用補助者は、ステップＳ１０１において、着用者の脚を上げて、着用者の臀部相当位置に使い捨ておむつを敷き、ステップＳ１０２において、着用者のおへその位置（高さ）に合わせて使い捨ておむつ１０を着用者の臀部の下に敷く。
【００８６】
ここで、着用補助者は、ステップＳ１０３において、使い捨ておむつ１０を製品長手方向Ｌに引っ張ると、ステップＳ１０４において、クロッチ伸縮部２００ａ及び吸収体４０が、着用者の身体（股下部）に近づいた後、ステップＳ１０５において、レッグ伸縮部７５が、着用者の身体（脚回り部）に近づく。
【００８７】
すなわち、ステップＳ１０３〜Ｓ１０５は、着用者のおへその位置に向かって使い捨ておむつ１０を引き当てる工程である。
【００８８】
ここで、本実施形態に係る使い捨ておむつ１０では、クロッチ伸縮部２００ａの引張係数は、レッグ伸縮部７５の引張係数よりも大きくなるように構成されているため、使い捨ておむつ１０が、製品長手方向Ｌに引っ張られた場合であっても、クロッチ伸縮部２００ａの方が収縮した状態を維持し易く、レッグ伸縮部７５の方が先に伸張し易いことから、股下域２５において、着用者の身体に先にクロッチ伸縮部２００ａが近づき、その結果、吸収体４０を含む使い捨ておむつ１０本体が、着用者の身体に沿った後、レッグ伸縮部７５が、着用者の脚回りに密着する。
【００８９】
その結果、レッグ伸縮部７５が、使い捨ておむつ１０の非肌当接面側に沿った状態になり易く、レッグ伸縮部７５が、使い捨ておむつと着用者の身体との間に巻き込まれる状態になり難い。
【００９０】
なお、既存の使い捨ておむつ１０では、レッグ伸縮部７５が、使い捨ておむつ１０の肌当接面側に向かって立ち上がり易くなっているため、使い捨ておむつ１０の製品幅方向Ｗの内側に巻き込まれ易くなっていた。
【００９１】
したがって、図５及び図６に示すように、ステップＳ１０６において、レッグ伸縮部７５が、使い捨ておむつと着用者の身体との間に巻き込まれることなく、広がった状態で、着用者の身体（脚回り部）にフィットする。ここで、図６は、図５におけるＧ-Ｇ断面図である。
【００９２】
これに対して、既存の使い捨ておむつ１０では、着用補助者が、かかる使い捨ておむつ１０を製品長手方向Ｌに引っ張ると、先に、レッグ伸縮部７５が、着用者の身体（脚回り部）に近づいた後、吸収体４０が、着用者の身体（股下部）に近づくため、図７及び図８に示すように、製品長手方向Ｌに引っ張られた場合には、レッグ伸縮部７５が、使い捨ておむつと着用者の身体との間に巻き込まれる状態になり易い。ここで、図８は、図７におけるＨ-Ｈ断面図である。
【００９３】
その結果、レッグ伸縮部７５が、使い捨ておむつと着用者の身体との間に巻き込まれた状態で、着用者の身体（脚回り部）にフィットしてしまうケースが多くなることが想定される。
【００９４】
最後に、ステップＳ１０７において、着用補助者は、左右のファスニングテープ９０を引っ張り、左右対称になるように係合する。
【００９５】
本実施形態に係る使い捨ておむつ１０によれば、クロッチ伸縮部２００ａの引張係数が、レッグ伸縮部７５の引張係数よりも大きくなるように構成されているため、クロッチ伸縮部２００ａの方が、収縮状態を維持し易く、使い捨ておむつ１０が、製品長手方向Ｌに引っ張られた場合であっても、レッグ伸縮部７５が、使い捨ておむつと着用者の身体との間に巻き込まれる状態になり難くなり、脚回り開口部３５からの排泄物の漏れの発生を抑制することができる。
【００９６】
また、本実施形態に係る使い捨ておむつ１０によれば、装着された状態の使い捨ておむつ１０に対して着用者の動きが加わった場合であっても、レッグ伸縮部７５が使い捨ておむつ１０と着用者の身体との間に巻き込まれるような状態になり難いため、脚回り開口部３５からの排泄物の漏れの発生を抑制することができる。
【００９７】
さらに、本実施形態に係る使い捨ておむつ１０によれば、レッグ伸縮部７５を構成する弾性部材の軌跡を着用者の脚回り部に合わせて複雑に湾曲させることなく、脚回り開口部３５からの排泄物の漏れの発生を抑制することができる。
【００９８】
また、本実施形態に係る使い捨ておむつ１０によれば、クロッチ伸縮部２００ａが、股下域２５において、底部を構成するため、すなわち、レッグ伸縮部７５と比べて、着用者の身体に近い位置に配されることになるため、従来よりも、レッグ伸縮部７５を構成する弾性部材の引張応力を小さくしても、レッグ伸縮部７５による着用者の脚回り部への圧迫跡を残すことなく、レッグ伸縮部７５と着用者の脚回り部の密着性を高めることができる。
【００９９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１００】
１０…使い捨ておむつ
２０…前胴回り域
２５…股下域
３０…後胴回り域
３５…脚回り開口部
４０…吸収体
４０ａ…吸収体コア
４０ｂ…コアラップ
５０…トップシート
６０ａ…バックシート
６０…外装シート
７０…サイドフラップ
７５ａ…レッグ伸縮部
８０…レッグサイドギャザー
８１…接合部分
８２…自由端部分
９０…ファスニングテープ
９０ａ…ターゲットテープ
２００ａ…クロッチ伸縮部
【要約】
【課題】脚回り開口部に沿って設けられている弾性部材が使い捨ておむつと着用者の身体との間に巻き込まれる状態になり難くする。
【解決手段】本発明に係る使い捨ておむつ１０において、レッグ伸縮部７５において伸縮可能な範囲の前胴回り域２０側の端部Ｅ２は、クロッチ伸縮部２００ａにおいて伸縮可能な範囲の前胴回り域２０側の端部Ｅ３よりも、使い捨ておむつ１０の前胴回り域２０側の端部Ｅ４に近接するように構成されており、レッグ伸縮部７５において伸縮可能な範囲の後胴回り域３０側の端部Ｅ５は、クロッチ伸縮部２００ａにおいて伸縮可能な範囲の後胴回り域３０側の端部Ｅ６よりも、使い捨ておむつ１０の後胴回り域３０側の端部Ｅ７に近接するように構成されており、クロッチ伸縮部２００ａの引張係数は、レッグ伸縮部７５の引張係数よりも大きくなるように構成されている。
【選択図】図４【図１】
0005243641.tif 000002
【図２】
0005243641.tif 000003
【図３】
0005243641.tif 000004
【図４】
0005243641.tif 000005
【図５】
0005243641.tif 000006
【図６】
0005243641.tif 000007
【図７】
0005243641.tif 000008
【図８】
0005243641.tif 000009